(57)【特許請求の範囲】
【請求項１】
外壁の上部の外側に取付けられ、屋根裏と屋外との間を連通させる通気溝が形成された通気胴縁と、
前記通気胴縁の外側に設けられ、前記外壁の上部に取付けられた前記通気胴縁を介在させた状態で前記通気胴縁と共に締結部材で前記外壁に固定された軒樋と、
前記通気胴縁と前記軒樋との間に設けられて前記通気胴縁を外部から遮蔽すると共に、前記通気胴縁の下方において前記外壁側へ屈曲された屈曲部を有し、前記屈曲部の先端と前記外壁との間で通気出入口を形成する遮蔽部と、を備え、
前記通気溝が前記通気胴縁の外側部に設けられると共に、
前記外壁の上端部は一般部に対して薄肉化されており、
前記屈曲部の先端が当該薄肉化により形成された段差の範囲内に配置されている、
建物の通気構造。
【請求項２】
前記通気溝の最深部が前記外壁に対して外側に配置された請求項１に記載の建物の通気構造。
【請求項３】
前記通気出入口の上方に設けられた水切部を備えた請求項１又は請求項２に記載の建物の通気構造。
【請求項４】
前記外壁と前記通気胴縁との間には、防水テープが介在されている請求項１〜請求項３の何れか１項に記載の建物の通気構造。
【請求項５】
前記軒樋が屋根を構成する陸屋根の先端に取付けられた請求項１〜請求項４の何れか１項に記載の建物の通気構造。
【請求項６】
前記通気溝の一端側に設けられると共に、前記通気溝を開閉可能に構成され、基準値以上の水量を検出した際に前記通気溝を閉じる開閉機構を備えた請求項１〜請求項５の何れか１項に記載の建物の通気構造。
【発明の詳細な説明】
【技術分野】
【０００１】
本発明は、屋根裏と屋外との間の通気を考慮した建物の通気構造に関する。
【背景技術】
【０００２】
一般に、陸屋根を備えた建物では、建物の意匠性能を損なうことなく屋根裏の換気を行うことが切望されている。このため、下記特許文献１に記載の換気機能付き軒先構造では、外壁の外側に換気通路の出入口が設けられており、外壁面に沿った換気通路が形成されている。
【０００３】
この軒先構造について詳述すると、外壁の上部の外側に、鼻隠が設けられており、鼻隠の下端には、下側折返し部が形成されている。この下側折返し部と外壁との間が、換気通路の出入口とされている。また、鼻隠の外側には軒樋が設けられており、軒樋は鼻隠の内側に設けられた先端側母屋プレートに鼻隠と共に取付けられている。
【０００４】
さらに、換気通路の出入口の上側には、目地材が設けられており、目地材には多数の換気用小孔が形成されている。これにより、換気用小孔を介して換気通路と屋外とが連通されている。
【先行技術文献】
【特許文献】
【０００５】
【特許文献１】特開２００５−１８００９０号公報
【発明の概要】
【発明が解決しようとする課題】
【０００６】
しかしながら、この軒先構造では、上述のように、軒樋を取付けるためにわざわざ先端側母屋プレートが鼻隠の内側に意図的に延出されており、目地材は先端側母屋プレートの先端部（下側水平部）と外壁との間に単に挟みこまれている。つまり、この軒先構造では、軒樋を固定するための下地材と通気性を有する目地材とが別個独立に存在する納まりとなっている。このため、この軒先構造では、通気機能（換気機能）を有する目地材を効率よく設けるという点において、改善の余地がある。
【０００７】
本発明は、上記事実を考慮して、通気胴縁を効率よく設けることができる建物の通気構造を提供することを目的とする。
【課題を解決するための手段】
【０００８】
請求項１に記載の建物の通気構造は、外壁の上部の外側に取付けられ、屋根裏と屋外との間を連通させる通気溝が形成された通気胴縁と、前記通気胴縁の外側に設けられ、前記外壁の上部に取付けられた前記通気胴縁を介在させた状態で前記通気胴縁と共に締結部材で前記外壁に固定された軒樋と、前記通気胴縁と前記軒樋との間に設けられて前記通気胴縁を外部から遮蔽すると共に、前記通気胴縁の下方において前記外壁側へ屈曲された屈曲部を有し、前記屈曲部の先端と前記外壁との間で通気出入口を形成する遮蔽部と、を備え、前記通気溝が前記通気胴縁の外側部に設けられると共に、前記外壁の上端部は一般部に対して薄肉化されており、前記屈曲部の先端が当該薄肉化により形成された段差の範囲内に配置されている。
【０００９】
請求項１に記載の建物の通気構造では、外壁の上部の外側に通気胴縁が取付けられている。この通気胴縁には、通気溝が形成されており、通気溝によって、屋根裏と屋外とが連通されている。これにより、通気溝を介して、屋根裏が換気される。
【００１０】
ここで、軒樋が通気胴縁を介在させた状態で外壁に固定されている。このため、従来の軒先構造のような軒樋を取付けるためのプレートを用いることなく、軒樋が通気胴縁と共に一体的に外壁に支持される。しかも、軒樋を外壁に固定させる際には、通気胴縁が下地材として機能するため、軒樋を外壁へ安定して固定できる。これにより、通気機能を有する通気胴縁を利用して、軒樋を外壁へ安定的に固定できる。
【００１２】
また、本発明では、通気胴縁と軒樋との間に遮蔽部が設けられており、遮蔽部によって通気胴縁が外部から遮蔽されている。また、遮蔽部は、通気胴縁の下方において、外壁側へ屈曲された屈曲部を有しており、屈曲部の先端と外壁との間で通気出入口が形成されている。これにより、通気出入口が外壁に隣接して設けられると共に、通気出入口から通気溝への通気経路が、通気胴縁の下方に形成される。
【００１３】
ここで、通気溝が通気胴縁の外側部に設けられている。このため、通気胴縁の外壁とは反対側の部分に通気溝が設けられているため、通気出入口と通気溝とが、平面視において、通気胴縁の厚さ方向にずれて配置される。これにより、通気路が迷路構造化され、通気出入口から通気溝への雨水の浸入が効果的に抑制される。
【００１５】
さらに、本発明では、外壁の上端部は一般部に対して薄肉化されているため、当該上端部には薄肉化された分だけ段差が形成されている。
【００１６】
ここで、屈曲部の先端が薄肉化により形成された段差の範囲内に配置されている。これにより、段差内に通気出入口が配置されるため、通気出入口が外壁の外側の面に対して窪んだ位置に配置される。このため、通気出入口への雨水の浸入が抑制される。
【００１７】
請求項２に記載の建物の通気構造は、請求項１に記載の建物の通気構造において、前記通気溝の最深部が前記外壁に対して外側に配置されている。
【００１８】
請求項２に記載の建物の通気構造では、外壁に対して外側に通気溝の最深部が配置されているため、平面視において、通気胴縁の通気溝以外の部分と通気出入口とがオーバーラップして配置される。つまり、通気出入口の真上に通気溝が配置されない。このため、通気出入口から通気溝への雨水の浸入が一層抑制される。
【００１９】
請求項３に記載の建物の通気構造は、請求項１又は請求項２に記載の建物の通気構造において、前記通気出入口の上方に設けられた水切部を備えている。
【００２０】
請求項３に記載の建物の通気構造では、水切部が通気出入口の上方に設けられているため、通気出入口から通気溝への雨水の浸入がより一層抑制される。
【００２１】
請求項４に記載の建物の通気構造は、請求項１〜請求項３の何れか１項に記載の建物の通気構造において、前記外壁と前記通気胴縁との間には、防水テープが介在されている。
【００２２】
請求項４に記載の建物の通気構造では、防水テープが外壁と通気胴縁との間に介在されているため、外壁の外側の面に沿って通気胴縁側へ上がってきた雨水が、防水テープによって止水される。
【００２３】
請求項５に記載の建物の通気構造は、請求項１〜請求項４の何れか１項に記載建物の通気構造において、前記軒樋が屋根を構成する陸屋根の先端に取付けられている。
【００２４】
請求項５に記載の建物の通気構造では、軒樋が陸屋根の先端に取付けられているため、意匠性能を損なうことなく軒樋を配置できる。
【００２５】
請求項６に記載の建物の通気構造は、請求項１〜請求項５の何れか１項に記載建物の通気構造において、前記通気溝の一端側に設けられると共に、前記通気溝を開閉可能に構成され、基準値以上の水量を検出した際に前記通気溝を閉じる開閉機構を備えている。
【００２６】
請求項６に記載の建物の通気構造では、通気溝の一端側に開閉機構が設けられており、開閉機構は通気溝を開閉可能に構成されている。また、基準値以上の水の検出した際には、開閉機構によって通気溝が閉じられる。これにより、雨水量に応じて通気溝を開閉できるため、効率よく屋根裏が換気される。
【発明の効果】
【００２７】
請求項１に記載の建物の通気構造によれば、通気胴縁を効率よく設けることができる。
【００２８】
また、本発明によれば、通気出入口から通気溝への雨水の浸入を抑制できる。
【００２９】
さらに、本発明によれば、通気出入口への雨水の浸入を抑制できる。
【００３０】
請求項２に記載の建物の通気構造によれば、通気出入口から通気溝への雨水の浸入を一層抑制できる。
【００３１】
請求項３に記載の建物の通気構造によれば、通気出入口から通気溝への雨水の浸入をより一層抑制できる。
【００３２】
請求項４に記載の建物の通気構造によれば、防水テープによって、外壁の外側の面に沿って通気胴縁側へ上がってきた雨水を止水できる。
【００３３】
請求項５に記載の建物の通気構造によれば、意匠性能を損なうことなく軒樋を配置できる。
【００３４】
請求項６に記載の建物の通気構造によれば、効率よく屋根裏を換気できる。
【図面の簡単な説明】
【００３５】
【図１】本発明の第１の実施の形態に係る建物の通気構造が適用されたユニット建物の一部を示す縦断面図である。
【図２】図１に示されるユニット建物の一部を分解した縦断面図である。
【図３】図１に示されるユニット建物に用いられる通気胴縁が防水テープを介して外壁材に取付けられた状態を示す一部破断した斜視図である。
【図４】本発明の第２の実施の形態に係る建物の通気構造が適用されたユニット建物の一部を示す縦断面図である。
【図５】本発明の第３の実施の形態に係る建物の通気構造が適用されたユニット建物の一部を示す縦断面図である。
【図６】本発明の第４の実施の形態に係る建物の通気構造が適用されたユニット建物の一部を示す縦断面図である。
【図７】図１に示されるユニット建物に用いられる通気胴縁が防水テープを介して外壁材に取付けられた状態を示す一部破断した斜視図である。
【発明を実施するための形態】
【００３６】
（第１の実施の形態）
【００３７】
図１には、本発明の第１の実施の形態に係る建物の通気構造Ｓ１が適用されたユニット建物１０の一部が縦断面図にて示されており、図２には、ユニット建物１０の一部を分解した縦断面図にて示されている。なお、これらの図に適宜示される矢印Ｘ方向はユニット建物１０の桁方向を示し、矢印Ｙ方向は妻方向を示し、矢印Ｚ方向は上方を示す。
【００３８】
これらの図に示すように、ユニット建物１０は、壁フレーム１２を有している。壁フレーム１２は、上下方向に沿って延設されて、Ｙ方向に所定間隔毎に配置されている。また、壁フレーム１２は、上方から見て断面略Ｕ字形状に形成されて、矢印Ｙ方向とは反対側に開口されている。さらに、壁フレーム１２の外側（Ｘ方向とは反対側）には、後述する外壁材４０がスクリュー等の締結部材により締結されている。
【００３９】
壁フレーム１２の上端には、横桟１４がＹ方向に沿って掛け渡されており、横桟１４はタッピングスクリュー７８によって後述する外壁材４０に固定されている。横桟１４の下部を構成する底壁１６には、互いに隣接する壁フレーム１２間において、通気孔１６Ａが貫通形成されている。これにより、横桟１４の上方の空間と横桟１４の下方の空間とが通気孔１６Ａによって連通されている。
【００４０】
壁フレーム１２の内側（Ｘ方向側）には、天井梁１８が設けられている。天井梁１８は、図示しないボルト等の締結部材により横桟１４に締結されている。天井梁１８の上部には、支持部１８Ａが形成されており、支持部１８ＡはＸ方向に屈曲されている。また、天井梁１８の下部には、図示しない天井が固定されている。
【００４１】
天井梁１８の内側には、屋根フレーム２０が延設されている。屋根フレーム２０の外側の端部には、締結部２０Ａが設けられており、締結部２０Ａは、天井梁１８の支持部１８Ａの上方に配置されて、図示しないボルト等の締結部材によって支持部１８Ａに締結されている。これにより、屋根フレーム２０の下方に屋根裏２２が形成されており、屋根裏２２は横桟１４の通気孔１６Ａを介して横桟１４の上方の空間と連通している。
【００４２】
屋根フレーム２０の上方には、ユニット建物１０の屋根を構成する陸屋根２４が設けられている。この陸屋根２４は、野地板２６と断熱材２８と鋼板役物３０とで構成されている。野地板２６は、合板やＡＬＣ（軽量コンクリート）等により形成されて、屋根フレーム２０の上に設置されている。また、野地板２６の外側端部は、前述した横桟１４の上方に離間して配置されており、これにより、野地板２６と横桟１４との間には隙間が設けられている。
【００４３】
断熱材２８は野地板２６の上に設置されている。また、断熱材２８は、ポリスチレンフォーム等の発泡性の樹脂により形成されており、屋内における結露を抑制する機能を有している。
【００４４】
鋼板役物３０は、ＤＮ鋼板により形成されて、断熱材２８の上に設置されている。鋼板役物３０の外側の端部には、側壁部３０Ａが一体に設けられており、側壁部３０Ａは、下方へ屈曲されて、壁フレーム１２及び横桟１４の外側に平行に配置されている。また、側壁部３０Ａの下端部は、横桟１４側に重なるように折り返されている。
【００４５】
次に、本発明の要部である建物の通気構造Ｓ１について説明する。この建物の通気構造Ｓ１は、外壁としての外壁材４０と通気胴縁５０と外水切り６０と軒樋７０とを有している。
【００４６】
外壁材４０は、前述した壁フレーム１２の外側（矢印Ｘ方向とは反対側）に配置されて、図示しないスクリュー等の締結部材によって壁フレーム１２に固定されている。外壁材４０の上端は、前述した野地板２６の下方に離間して配置されており、外壁材４０の上端と野地板２６との間には隙間が設けられている。これにより、外壁材４０の上方の空間と屋根裏２２とが横桟１４の通気孔１６Ａを介して連通されている。
【００４７】
また、図３にも示すように、外壁材４０の上端部は外壁材４０の一般部に対して薄肉化されており、これにより外壁材４０の上端部には一般部の意匠面（後述する外側面４４）に対して屋内側（矢印Ｘ方向側）へ凹む段差が形成されている。以下、この段差が形成された部分を「凹部４２」と称す。凹部４２は、外壁材４０の一般部の外側面４４に対して平行な取付面４２Ａと、取付面４２Ａの下端と一般部の外側面４４とを繋ぐ傾斜面４２Ｂと、によって構成されている。なお、傾斜面４２Ｂは、取付面４２Ａと外側面４４との間において、外側へ向かうに従い下方へ傾斜して配置されており、取付面４２Ａと外側面４４を繋いでいる。これにより、外壁材４０の上部は、他の部分に比して厚さ寸法（Ｘ方向の寸法）が小さく設定されている。そして、凹部４２には、後述する通気胴縁５０が配置されて、通気胴縁５０が外壁材４０の上部に取付けられるように構成されている。
【００４８】
通気胴縁５０は、樹脂により製作されており、鋼板役物３０の側壁部３０Ａと外壁材４０の取付面４２Ａとの間に配置されている。この通気胴縁５０は、防水テープ４８を介して取付面４２Ａに取付けられると共に（図３参照）、後述する軒樋７０及び外水切り６０と共にタッピングスクリュー７８によって外壁材４０に固定されている。
【００４９】
通気胴縁５０の外側部（鋼板役物３０の側壁部３０Ａ側の部分）には、通気溝５２が上下方向に沿って設けられている。通気溝５２は、平面視において略半円形状に形成されて、側壁部３０Ａ側に開口されている。これにより、通気胴縁５０の上方の空間と通気胴縁５０の下方の空間とが通気溝５２によって連通されている。また、通気溝５２の最深部５４（Ｘ方向における最も深い部分）は、平面視において、外壁材４０の外側面４４に対して外側に配置されている。
【００５０】
外水切り６０は、アルミニウム等の板材により形成されており、鋼板役物３０の側壁部３０Ａの外側に配置されている。外水切り６０は、上下方向に沿って延設された遮蔽部６２を有しており、遮蔽部６２は、後述する軒樋７０と共にタッピングスクリュー７８によって外壁材４０の上部に固定されている。また、遮蔽部６２は、側壁部３０Ａの一部及び通気胴縁５０を外部から遮蔽するように上下方向に延在されると共に、下端部において、外壁材４０の凹部４２側へ向けて屈曲されている。この下端部が屈曲部６４とされており、屈曲部６４は、上下方向に対して直交する方向に配置されている。これにより、通気胴縁５０の下方の空間が、遮蔽部６２によって外部から遮蔽されている。
【００５１】
屈曲部６４の先端部は、上側に重なるように折り返されて形成されている。また、屈曲部６４の先端と凹部４２の取付面４２Ａとの間には、隙間が設けられており、この隙間部分が通気出入口８０とされている。これにより、通気出入口８０が、外壁材４０に隣接して配置されると共に、外壁材４０の外側面４４に対して窪んだ位置に配置されている。そして、通気出入口８０によって、屋外と通気胴縁５０の下方の空間とが連通されている。これにより、図１の矢印にて示すように、通気出入口８０から通気溝５２、外壁材４０の上方の空間、横桟１４の通気孔１６Ａを介した屋根裏２２への通気経路８２が形成されている。
【００５２】
また、外水切り６０の屈曲部６４の先端は、外壁材４０の外側面４４に対して若干内側に配置されている（平面視において、屈曲部６４と外壁材４０の外側面４４とがオーバーラップして配置されている）。これにより、通気出入口８０が凹部４２内に配置されると共に、通気出入口８０の真上に、通気胴縁５０の通気溝５２以外の部分が配置されている。
【００５３】
さらに、外水切り６０の上部には、外側水切部６６が設けられている。外側水切部６６は、遮蔽部６２の上端から外側へ向かうに従い下方に傾斜されており、外側水切部６６の先端部が下方へ屈曲されている。これにより、陸屋根２４上の雨水が、外側水切部６６を介して、後述する軒樋７０に流下するように構成されている。
【００５４】
軒樋７０は、外水切り６０の遮蔽部６２の外側に設けられている。軒樋７０の遮蔽部６２側の部分には、取付部７２が設けられており、取付部７２には図示しない貫通孔が形成されている。この貫通孔には、タッピングスクリュー７８が挿通されており、このタッピングスクリュー７８によって、軒樋７０が、外水切り６０、鋼板役物３０の側壁部３０Ａ、及び通気胴縁５０を介在させた状態で、外壁材４０の上部に固定されている。
【００５５】
軒樋７０は、矢印Ｙ方向から見て略Ｕ字形状に形成されて、上方に開口されている。また、軒樋７０は、下部において、流路７４を有しており、流路７４は、矢印Ｙ方向の一方に向かうに従い下方へ傾斜している。これにより、外水切り６０の外側水切部６６から流下した雨水が軒樋７０を介して下方へ流下するように構成されている。
【００５６】
次に、本実施の形態の作用及び効果を説明する。
【００５７】
建物の通気構造Ｓ１が適用されたユニット建物１０では、屋根が陸屋根２４により構成されており、通気経路８２の通気出入口８０が、外壁材４０の凹部４２内に設けられている。そして、通気出入口８０の上方には、通気胴縁５０が設けられており、通気胴縁５０には通気溝５２が形成されている。これにより、陸屋根２４を有するユニット建物１０において、外壁材４０に沿った通気経路８２が形成されて、この通気経路８２によって屋根裏２２が換気される。したがって、屋根裏２２内における熱の滞留を抑制でき、屋根裏２２内における結露を抑制できる。
【００５８】
ここで、通気胴縁５０は外壁材４０の取付面４２Ａと鋼板役物３０の側壁部３０Ａとの間に設けられており、軒樋７０が、通気胴縁５０を介在させた状態で、タッピングスクリュー７８によって外壁材４０に締結（固定）されている。このため、従来の軒先構造のような軒樋７０を取付けるためのプレートを用いることなく、軒樋７０が通気胴縁５０と共に一体的に外壁材４０に支持される。しかも、軒樋７０を外壁材４０に固定させる際には、通気胴縁５０が下地材として機能するため、軒樋７０を外壁材４０へ安定して固定できる。これにより、通気機能を有する通気胴縁５０を利用して、軒樋７０を外壁材４０へ安定的に固定できる。したがって、通気胴縁５０を効率よく設けることができる。
【００５９】
また、通気胴縁５０の外側部には通気溝５２が設けられており、外壁材４０に隣接して通気出入口８０が設けられている。このため、通気出入口８０と通気溝５２とが、平面視において、通気胴縁５０の厚さ方向（Ｘ方向）にずれて配置される。これにより、通気路が迷路構造化され、通気出入口８０から通気溝５２への雨水の浸入を効果的に抑制できる。
【００６０】
さらに、外壁材４０の上端部には、凹部４２が設けられており、外水切り６０の屈曲部６４の先端が凹部４２内に配置されている。これにより、凹部４２内に通気出入口８０が配置されるため、通気出入口８０が外壁材４０の外側面４４に対して窪んだ位置に配置される。このため、通気出入口８０への雨水の浸入を抑制できる。
【００６１】
なお、凹部４２に通気胴縁５０を配置することにより、外壁材４０に通気胴縁５０が取付けられた際の外壁材４０に対する通気胴縁５０の突出量を抑制できるというメリットもある。
【００６２】
さらに、通気溝５２の最深部５４が外壁材４０に対して外側に配置されている。このため、平面視において、通気胴縁５０の通気溝５２以外の部分と通気出入口８０とがオーバーラップして配置される。つまり、通気出入口８０の真上に通気溝５２が配置されない。このため、通気出入口８０から通気溝５２への雨水の浸入を一層抑制できる。
【００６３】
また、通気胴縁５０は防水テープ４８を介して外壁材４０の上部に取付けられている。このため、外壁材４０の外側面４４、傾斜面４２Ｂ、及び取付面４２Ａに沿って通気胴縁５０側へ上がってきた雨水が、防水テープ４８によって止水される。これにより、雨水の屋根裏２２側への浸入を一層抑制できる。
【００６４】
さらに、軒樋７０は、陸屋根２４の先端（外側の端部）に取付けられている。このため、意匠性能を損なうことなく軒樋７０を配置できる。
【００６５】
（第２の実施の形態）
【００６６】
図４には、第２の実施の形態に係る建物の通気構造Ｓ２が適用されたユニット建物１００の一部が縦断面図にて示されている。なお、この図に示される矢印Ｘ方向はユニット建物１００の桁方向を示し、矢印Ｙ方向は妻方向を示し、矢印Ｚ方向は上方を示す。また、図４では、天井梁１８、軒樋７０、及びタッピングスクリュー７８が図示省略されている。
【００６７】
第２の実施の形態に係る建物の通気構造Ｓ２は、第１の実施の形態に係る建物の通気構造Ｓ１と略同様の構成であるが、以下の点で異なる。
【００６８】
建物の通気構造Ｓ２では、建物の通気構造Ｓ１に用いられた防水テープ４８の替わりに、内水切り１１０が設けられている。内水切り１１０は、アルミニウム等の板材により形成されている。内水切り１１０は、本体部１１２を有しており、本体部１１２が、通気胴縁５０と外壁材４０の取付面４２Ａとの間で狭持されている。内水切り１１０の下部には、水切部としての下側水切部１１４が一体に設けられており、下側水切部１１４は、本体部１１２の下端から外側へ向かうに従い下方へ傾斜されている。また、下側水切部１１４は、通気胴縁５０の下方に配置されると共に、通気出入口８０の真上に配置されている。さらに、下側水切部１１４の先端部は、通気出入口８０側に重なるように折り返されており、下側水切部１１４の上面が段差なく形成されている。
【００６９】
内水切り１１０の上部には、上側水切部１１６が一体に設けられており、上側水切部１１６は、本体部１１２の上端から外側へ向かうに従い上方へ傾斜されている。また、上側水切部１１６は、通気胴縁５０の上方に配置されており、上側水切部１１６の先端部は、上側に重なるように折り返されて、上側水切部１１６の下面が段差なく形成されている。さらに、上側水切部１１６及び下側水切部１１４の先端は、平面視において、同一位置に配置されている。
【００７０】
また、通気胴縁５０の通気溝５２の最深部５４は、平面視において、上側水切部１１６及び下側水切部１１４の先端に対して内側（Ｘ方向側）に配置されている。
【００７１】
以上により、第２の実施の形態においても、通気出入口８０から通気溝５２、外壁材４０の上方の空間、横桟１４の通気孔１６Ａを介した屋根裏２２への通気経路８２によって、屋根裏２２が換気されるため、第１の実施の形態と同様の作用及び効果を奏する。
【００７２】
また、通気出入口８０の真上には、内水切り１１０の下側水切部１１４が配置されているため、下側水切部１１４によって、通気出入口８０から通気溝５２側への雨水の浸入をより一層抑制できる。
【００７３】
さらに、仮に、通気溝５２側へ雨水が侵入した場合には、上側水切部１１６によって雨水が遮断されるため、雨水の外壁材４０上方への浸入を抑制できる。しかも、下側水切部１１４は外側へ向かうに従い下方へ傾斜されているため、通気溝５２側へ侵入した雨水を、下側水切部１１４に沿って下方へ容易に流下できる。これにより、この雨水を通気出入口８０から容易に排水できる。
【００７４】
また、下側水切部１１４の先端部は、通気出入口８０側に重なるように折り返されているため、下側水切部１１４の上面が段差なく形成されている。このため、仮に通気溝５２側へ侵入した雨水が下側水切部１１４の上面に沿って流下する際には、この雨水が下側水切部１１４の上面に溜まることを抑制できる。
【００７５】
（第３の実施の形態）
【００７６】
図５には、第３の実施の形態に係る建物の通気構造Ｓ３が適用されたユニット建物２００の一部が縦断面図にて示されている。なお、この図に示される矢印Ｘ方向はユニット建物２００の桁方向を示し、矢印Ｙ方向は妻方向を示し、矢印Ｚ方向は上方を示す。また、図５では、天井梁１８、軒樋７０、及びタッピングスクリュー７８が図示省略されている。
【００７７】
第３の実施の形態に係る建物の通気構造Ｓ３は、第２の実施の形態に係る建物の通気構造Ｓ２と略同様の構成であるが、以下の点で異なる。
【００７８】
建物の通気構造Ｓ３では、内水切り１１０の下側水切部１１４が、傾斜部１１４Ａと延在部１１４Ｂとで構成されて、略逆Ｌ字形状に形成されている。傾斜部１１４Ａは、本体部１１２の下端から外側へ向かうに従い下方へ傾斜して延設されており、延在部１１４Ｂは、傾斜部１１４Ａの先端から下方へ延設されている。延在部１１４Ｂの先端部は、外壁材４０側に重なるように折り返されており、延在部１１４Ｂの外側面が段差なく形成されている。また、外水切り６０の屈曲部６４の真上に延在部１１４Ｂが配置されており、これにより、通気出入口８０から通気溝５２への通気経路が、Ｙ方向から見て略クランク状に形成されている。
【００７９】
また、内水切り１１０の上側水切部１１６は、外側へ向かうに従い下方へ傾斜されており、上側水切部１１６の先端と下側水切部１１４の延在部１１４Ｂとが、平面視において、同一位置に配置されている。
【００８０】
さらに、通気胴縁５０の通気溝５２の最深部５４は、平面視において、上側水切部１１６の先端及び下側水切部１１４の延在部１１４Ｂに対して内側（Ｘ方向側）に配置されている。
【００８１】
以上により、第３の実施の形態においても、通気出入口８０から通気溝５２、外壁材４０の上方の空間、横桟１４の通気孔１６Ａを介した屋根裏２２への通気経路８２によって、屋根裏２２が換気されるため、第２の実施の形態と同様の作用及び効果を奏する。
【００８２】
また、通気出入口８０から通気溝５２へ向かう通気経路８２が、Ｙ方向から見てクランク状に形成されるため、通気出入口８０から通気溝５２側への雨水の浸入を効果的に抑制できる。
【００８３】
さらに、内水切り１１０の上側水切部１１６は、外側へ向かうに従い下方へ傾斜されており、上側水切部１１６の先端が、通気胴縁５０の通気溝５２の最深部５４に対して外側に配置されている。このため、仮に、通気溝５２側へ雨水が侵入した際には、雨水が上側水切部１１６によって遮断されて、雨水の外壁材４０の上方への浸入が抑制されると共に、この雨水が上側水切部１１６に沿って流下される。これにより、この雨水を通気溝５２側へ流下できる。
【００８４】
しかも、下側水切部１１４の傾斜部１１４Ａは外側へ向かうに従い下方へ傾斜されているため、通気溝５２側へ侵入した雨水が、傾斜部１１４Ａに沿って下方へ流下される。このため、この雨水を通気出入口８０から容易に排水できる。さらに、下側水切部１１４の延在部１１４Ｂの先端部は、外壁材４０側に重なるように折り返されており、延在部１１４Ｂの外側面が段差なく形成されている。このため、下側水切部１１４の傾斜部１１４Ａに沿って流下した雨水が、延在部１１４Ｂの外側面に溜まることも抑制できる。
【００８５】
なお、第２の実施の形態及び第３の実施の形態では、防水テープ４８が省略されているが、防水テープ４８を内水切り１１０と外壁材４０の取付面４２Ａとの間に設けてもよい。
【００８６】
（第４の実施の形態）
【００８７】
図６には、第４の実施の形態に係る建物の通気構造Ｓ４が適用されたユニット建物３００の一部が縦断面図にて示されている。なお、この図に示される矢印Ｘ方向はユニット建物３００の桁方向を示し、矢印Ｙ方向は妻方向を示し、矢印Ｚ方向は上方を示す。また、図６では、天井梁１８、軒樋７０、及びタッピングスクリュー７８が図示省略されている。
【００８８】
第４の実施の形態に係る建物の通気構造Ｓ４は、第１の実施の形態に係る建物の通気構造Ｓ１と略同様の構成であるが、以下の点で異なる。
【００８９】
建物の通気構造Ｓ４は、開閉機構３１０を備えている。開閉機構３１０は、シャッター３１２と雨水検出センサ３１４と制御部３１６とを有している。
【００９０】
シャッター３１２は、通気胴縁５０の通気溝５２の下端側（一端側）に配置されており、外壁材４０に回動可能に取付けられている。シャッター３１２は、図示しないソレノイド等のアクチュエータに連結されており、アクチュエータの駆動によって開位置（図６の実線にて示される位置）と閉位置（図６の２点鎖線にて示される位置）との間で回動可能に構成されている。具体的には、アクチュエータがＯＦＦされた際には、シャッター３１２が開位置に配置されて、通気溝５２が開口される。一方、アクチュエータがＯＮされた際には、シャッター３１２が閉位置に配置されて、通気溝５２が閉塞されるように構成されている。
【００９１】
雨水検出センサ３１４は、通気胴縁５０の通気溝５２の下方に配置されており、鋼板役物３０の側壁部３０Ａに固定されている。この雨水検出センサ３１４は、通気出入口８０から通気溝５２側へ浸入した雨水量を検出可能に構成されている。
【００９２】
制御部３１６は、前述したアクチュエータ及び雨水検出センサ３１４に電気的に接続されている。制御部３１６は、雨水検出センサ３１４から出力された検出信号に基づいて、アクチュエータのＯＮ／ＯＦＦを制御している。具体的には、雨水検出センサ３１４からの検出信号に基づいて、通気出入口８０から浸入した雨水が基準値以上であると制御部３１６が判定した場合には、制御部３１６はアクチュエータをＯＮさせるように構成されている。一方、通気出入口８０から浸入した雨水が基準値未満であると制御部３１６が判定した場合には、制御部３１６はアクチュエータをＯＦＦするように構成されている。
【００９３】
これにより、シャッター３１２が開位置に配置されている場合には、通気出入口８０から通気溝５２、外壁材４０の上方の空間、横桟１４の通気孔１６Ａを介した屋根裏２２への通気経路８２によって、屋根裏２２が換気されるため、第４の実施の形態においても、第１の実施の形態と同様の作用及び効果を奏する。
【００９４】
また、雨水検出センサ３１４からの検出信号によって、通気出入口８０から浸入した雨水が基準値以上であると制御部３１６が判定した場合には、制御部３１６がアクチュエータをＯＮさせることで、シャッター３１２が閉位置に回動される。これにより、通気出入口８０から浸入した雨水量に応じて通気溝５２を開閉できるため、屋根裏２２を効率よく換気できる。
【００９５】
なお、第４の実施の形態では、通気溝５２の下方に雨水検出センサ３１４が配置されているが、雨水検出センサ３１４の位置は任意に設定できる。例えば、外壁材４０の上端に雨水検出センサ３１４を配置してもよい。
【００９６】
また、第４の実施の形態では、通気胴縁５０の通気溝５２の下端側にシャッター３１２が配置されているが、シャッター３１２を通気胴縁５０の上方に配置してもよい。
【００９７】
さらに、第４の実施の形態では、雨水検出センサ３１４が通気出入口８０から浸入した雨水を検出している。これに替えて、風速を検出できる風速検知センサを外壁材４０に設けてもよい。これにより、屋外の風速に応じて屋根裏２２を換気できる。また、この場合には、雨水検出センサ３１４と風速検知センサとを併用して設けてもよい。
【００９８】
また、第１の実施の形態〜第４の実施の形態では、通気胴縁５０の通気溝５２が上下方向に沿って形成されている。これに替えて、図７に示すように、通気溝５２をＸ方向から見てクランク状に形成してもよい。また、通気溝５２を上方へ向かうに従いＹ方向に傾斜するように形成してもよい。これにより、通気溝５２を介した通気胴縁５０上方への雨水の浸入を一層抑制できる。
【００９９】
さらに、第１の実施の形態〜第４の実施の形態では、遮蔽部６２が外水切り６０に設けられている。これに替えて、鋼板役物３０の側壁部３０Ａを本発明の遮蔽部として構成してもよい。この場合では、遮蔽部６２の屈曲部６４に相当する部位を側壁部３０Ａに設ける。ただし、一般にＤＮ鋼板を２回曲げすることは困難であるため、側壁部３０Ａに外水切り６０の屈曲部６４に相当する部位を設ける場合には、側壁部３０Ａを鋼板役物３０とは別部材として構成して、溶接等で鋼板役物３０と一体に形成してもよい。
【０１００】
また、第１の実施の形態〜第４の実施の形態では、外壁材４０の上端部の屋外側に凹部４２が形成されて、当該凹部４２に通気胴縁５０が配置されている。これに替えて、外壁材４０に凹部４２を設けずに、通気胴縁５０を外壁材４０の上端部の屋外側に取付けてもよい。
【０１０１】
但し、外壁材４０の上端部に形成される凹部４２は外壁材４０に元々形成されている要素であることを考慮すると、凹部４２を有効活用する上記実施の形態を採用することが好ましい。
【０１０２】
さらに、第１の実施の形態〜第４の実施の形態では、外壁材４０の傾斜面４２Ｂは外側へ向かうに従い下方に傾斜して配置されている。これに替えて、傾斜面４２Ｂを上下方向に対して直交する方向に配置してもよい。これにより、外水切り６０の屈曲部６４と傾斜面４２Ｂとが平行に配置されるため、通気出入口８０への雨水の浸入を一層抑制できる。
【０１０３】
また、第１の実施の形態〜第４の実施の形態では、外水切り６０の屈曲部６４の先端が凹部４２内に配置されているが、屈曲部６４の先端を外壁材４０の外側面４４に対して外側に配置してもよい。
【０１０４】
さらに、第１の実施の形態及び第４の実施の形態では、通気胴縁５０が防水テープ４８を介して外壁材４０の上部に取付けられている。これに替えて、防水テープ４８を省略してもよい。
【０１０５】
さらに、第１の実施の形態〜第４の実施の形態では、建物の通気構造Ｓ１〜Ｓ４が陸屋根２４を有するユニット建物１０、１００、２００、３００に適用されているが、建物の通気構造Ｓ１〜Ｓ４を軒出のない屋根構造の建物に適用してもよい。
【符号の説明】
【０１０６】
２２        屋根裏
２４        陸屋根
４０        外壁材（外壁）
４２        凹部
４８        防水テープ
５０        通気胴縁
５２        通気溝
５４        最深部
６２        遮蔽部
６４        屈曲部
７０        軒樋
８０        通気出入口
１１４      下側水切部（水切部）
３１０      開閉機構
Ｓ１        建物の通気構造
Ｓ２        建物の通気構造
Ｓ３        建物の通気構造
Ｓ４        建物の通気構造
【図１】
0005917864.tif 000002
【図２】
0005917864.tif 000003
【図３】
0005917864.tif 000004
【図４】
0005917864.tif 000005
【図５】
0005917864.tif 000006
【図６】
0005917864.tif 000007
【図７】
0005917864.tif 000008